(57)【特許請求の範囲】
【請求項１】
電波を放射及び受信して被検者の生体情報を個別に検出する複数の電波検出部と、
複数の前記電波検出部の動作条件を個別に設定する設定部と、
を備え、
前記設定部が複数の前記電波検出部の数量、前記電波検出部による前記電波の放射方向または隣り合う前記電波検出部の間の距離に基づいて電波干渉、電波混信が発生しないよう、複数の前記電波検出部各々が使用する前記電波の周波数を導出し、複数の前記電波検出部においてそれら周波数を個別に設定することを特徴とする見守りシステム。
【請求項２】
前記設定部は複数の前記電波検出部の動作条件の従前の設定に対して、前記電波検出部の増設または移動、前記電波検出部による前記電波の放射方向の変更及び隣り合う前記電波検出部の間の距離の変更に基づいて電波干渉、電波混信が発生しないよう、複数の前記電波検出部各々が使用する前記電波の周波数の再導出を実行することを特徴とする請求項１に記載の見守りシステム。
【請求項３】
前記設定部は被検者が使用するベッドの位置情報を有するとともに前記ベッドの位置情報に基づいて電波干渉、電波混信が発生しないよう、複数の前記電波検出部各々が使用する前記電波の周波数を導出することを特徴とする請求項１または請求項２に記載の見守りシステム。
【請求項４】
前記設定部は、隣り合う前記電波検出部の間の距離が最小離隔距離より短い場合に、隣り合う前記電波検出部各々が使用する前記電波の周波数を異ならせることを特徴とする請求項１〜請求項３のいずれかに記載の見守りシステム。
【請求項５】
前記設定部は、隣り合う前記電波検出部各々が使用する前記電波の周波数を互いに最小離隔周波数以上離隔した周波数に設定することを特徴とする請求項１〜請求項４のいずれかに記載の見守りシステム。
【請求項６】
複数の前記電波検出部は、被検者が使用するベッドが配置された複数の居室に各々配置され、
隣り合う居室に配置された複数の前記電波検出部には、居室毎に異なる周波数チャネルのグループが割り当てられ、
前記周波数チャネルの各グループには、異なる複数の前記周波数チャネルが割り当てられることを特徴とする請求項１〜請求項５のいずれかに記載の見守りシステム。
【請求項７】
前記周波数チャネルの各グループには、空き周波数チャネルが確保されることを特徴とする請求項６に記載の見守りシステム。
【発明の詳細な説明】
【技術分野】
【０００１】
本発明は、介護施設等で過ごす人の健康状態の異常等を検出するための見守りシステムに関する。
【背景技術】
【０００２】
近年、介護施設や病院等で過ごす人の健康状態の異常等を検出するために見守りシステムが提案されている。介護施設や病院等で過ごす人は室内における転倒やベッドからの転落、呼吸や心拍などの異常を起こし易い場合がある。施設には彼らの生活をサポートする介護者、看護者が従事しているが、相対的に人数が少なく、常時付き添うことはできない。このような課題を解決すべく見守りシステムが提案され、それに係る従来技術の一例が特許文献１に開示されている。【０００３】
特許文献１に記載された安否監視装置は被検者に向けて放射した電波の反射波から被検者の体動と呼吸とに係る生体情報を取得し、その生体情報から被検者の安否を監視している。被検者の生体情報の取得にはマイクロ波を用いた放射波とその反射波とのずれを検出して出力するドップラーセンサを利用する。これにより、被検者の体動と呼吸とを正しく検出することが可能になる。
【先行技術文献】
【特許文献】
【０００４】
【特許文献１】特開２０１２−７５８６１号公報
【発明の概要】
【発明が解決しようとする課題】
【０００５】
しかしながら、特許文献１に記載された従来技術では複数の被検者各々に個別に対応する複数の電波センサを設置すると、電波干渉、電波混信が発生する可能性が高くなるといった課題があった。これにより、被検者各々の生体情報を個別に正確に検出することができない虞があった。また、居室のベッドの増設やベッドの室内における移動などに伴って電波センサも増設、移動させる必要があり、逐次変更しなければならない電波センサの設定に手間がかかるといった課題もあった。【０００６】
本発明は、上記の点に鑑みなされたものであり、簡便な構成で複数の被検者の生体情報を個別に正確に検出することが可能な見守りシステムを提供することを目的とする。
【課題を解決するための手段】
【０００７】
上記の課題を解決するため、本発明の見守りシステムは、電波を放射及び受信して被検者の生体情報を個別に検出する複数の電波検出部と、複数の前記電波検出部の動作条件を個別に設定する設定部と、を備え、前記設定部が複数の前記電波検出部の数量、前記電波検出部による前記電波の放射方向または隣り合う前記電波検出部の間の距離に基づいて電波干渉、電波混信が発生しないよう、複数の前記電波検出部各々が使用する前記電波の周波数を導出し、複数の前記電波検出部においてそれら周波数を個別に設定することを特徴としている。
【発明の効果】
【０００８】
本発明によると、複数の被検者各々に対応させて設置した複数の電波検出部の電波干渉、電波混信の発生を抑制することができる。さらに、電波検出部の増設や移動にも対応して、電波干渉、電波混信が発生しない電波の周波数を複数の電波検出部に個別に設定することができる。そして、簡便な構成で複数の被検者の生体情報を個別に正確に検出することが可能になる。
【図面の簡単な説明】
【０００９】
【図１】本発明の第１実施形態に係る見守りシステムの概略構成図である。
【図２】本発明の第１実施形態に係る見守りシステムのセンサボックスの構成図である。
【図３】本発明の第１実施形態に係る見守りシステムのセンサボックスによる被検者の生体情報の検出状況を示す説明図である。
【図４】本発明の第１実施形態に係る見守りシステムによるセンサボックスの設定方法を示す説明図である。
【図５】本発明の第１実施形態に係る見守りシステムによるセンサボックスに対する設定処理の一例を示すフローチャートである。
【図６】本発明の第２実施形態に係る見守りシステムによるセンサボックスの設定方法を示す説明図である。
【図７】本発明の第３実施形態に係る見守りシステムによるセンサボックスの設定方法を示す説明図である。
【図８】本発明の第３実施形態に係る見守りシステムのセンサボックスによる被検者の生体情報の検出状況を示す説明図である。
【図９】本発明の第４実施形態に係る見守りシステムによるセンサボックスの設定方法を示す説明図である。
【発明を実施するための形態】
【００１０】
以下、本発明の実施形態を図面に基づき説明する。
【００１１】
＜第１実施形態＞
最初に、本発明の第１実施形態に係る見守りシステムの構成について、図１及び図２を用いて説明する。図１は見守りシステムの概略構成図である。図２は見守りシステムのセンサボックスの構成図である。
【００１２】
見守りシステム１は、例えば図１に示す介護施設に設置される。介護施設は例えばスタッフステーション１００、居室１０１〜１１４及び有線ＬＡＮ（Local  Area  Network）４００を備える。なお、図１は介護施設の一のフロアを平面的に見た概略を示す。
【００１３】
スタッフステーション１００は介護施設で過ごす被介護者の生活をサポートする介護者の所謂詰め所である。
【００１４】
被介護者の居室には一人部屋である居室１０６〜１０９と、二人部屋である居室１０１〜１０５及び居室１１０〜１１４と、が混在する。各居室には被介護者の人数分のベッド２０１〜２１４が設置されている。なお、二人部屋である居室１０１〜１０５及び居室１１０〜１１４には窓（不図示）側に設置されたベッド２０１ｗ、２０２ｗ〜２１４ｗと、通路（不図示）側に設置されたベッド２０２ｐ、２０４ｐ〜２１４ｐと、が存在する。なお、この説明において、特に限定する必要がある場合を除いて「ｗ」、「ｐ」の識別符号を省略することがある。
【００１５】
有線ＬＡＮ４００はスタッフステーション１００と居室１０１〜１１４との間の通信のために設置されている。なお有線ＬＡＮ４００に代えて無線ＬＡＮが設置されている場合もある。
【００１６】
見守りシステム１は管理サーバ２及びセンサボックス１１〜２４を備える。
【００１７】
管理サーバ２はスタッフステーション１００に設置され、有線ＬＡＮ４００に通信可能に接続される。管理サーバ２はリモートで制御することも可能である。
【００１８】
管理サーバ２は演算部（不図示）や記憶部、その他の電子部品で構成された主制御部３を備える。主制御部３は記憶部等に予め記憶、入力されたプログラム、データに基づき、センサボックス１１〜２４から情報を得るとともに被介護者（被検者）の異常等を検出するための一連の処理を実現する。主制御部３は設定部４及び電波検出部設定リスト５を備える。
【００１９】
設定部４はセンサボックス１１〜２４が搭載する後述の電波検出部４２の動作条件を個別に設定する。電波検出部４２の動作条件のひとつである検出周波数が各電波検出部４２に対応して個別に電波検出部設定リスト５に保存されている。
【００２０】
センサボックス１１〜２４は各居室のベッドに対応付けて各居室の天井に設置され、有線ＬＡＮ４００に通信可能に接続される。一人部屋である居室１０６〜１０９にはセンサボックス１６〜１９が設置される。二人部屋である居室１０１〜１０５及び居室１１０〜１１４には窓側に設置されたベッド２０１ｗ、２０２ｗ〜２１４ｗに対応付けてセンサボックス１１ｗ、１２ｗ〜２４ｗが設置され、通路側に設置されたベッド２０２ｐ、２０４ｐ〜２１４ｐに対応付けてセンサボックス１２ｐ、１４ｐ〜２４ｐが設置される。
【００２１】
続いて、センサボックスの詳細な構造を説明するが、すべてのセンサボックスは基本的構造が同じであるので、居室１０６に設置されたセンサボックス１６を代表例として図２を用いて説明する。
【００２２】
センサボックス１６は、図２に示すように光学検出部４１、電波検出部４２及び制御部４３を備える。
【００２３】
光学検出部４１は映像により被検者の状態を検出するためのカメラによって構成される。光学検出部４１は各居室のベッドに向けて設置され、被検者の起床や離床、転倒などを映像によって検出する。光学検出部４１は真っ暗な環境でも被検者の状態が映像として検出できるようにＩＲカットフィルタが取り除かれ、近赤外線光の投光部（不図示）を備える。また、光学検出部４１のカメラは広角レンズを備えることにより居室全体を撮像することが可能である。
【００２４】
電波検出部４２は電波を放射及び受信して被検者の生体情報を個別に検出するためのマイクロ波ドップラーセンサによって構成される。電波検出部４２は放射部（不図示）及び受信部を備え、例えば２４ＧＨｚ帯のマイクロ波を各居室のベッドに向けて放射し、被検者で反射したドップラーシフトした反射波を受信する。電波検出部４２はその反射波から被検者の呼吸状態や心拍数を検出する。
【００２５】
制御部４３は演算部（不図示）や記憶部、その他の電子部品で構成され、記憶部等に予め記憶、入力されたプログラム、データに基づき、光学検出部４１及び電波検出部４２から情報を得るとともにそれら構成要素の動作を制御して被検者の状態の検出に係る画像処理や信号処理を実現する。制御部４３は情報処理部４４及びインタフェース部４５を備える。
【００２６】
情報処理部４４には光学検出部４１及び電波検出部４２からの出力が入力される。情報処理部４４は光学検出部４１から受信した映像データに対して画像処理を実行し、映像から被検者の状態を検出する。情報処理部４４は電波検出部４２から受信したマイクロ波データに対して信号処理を実行し、マイクロ波から被検者の状態を検出する。
【００２７】
インタフェース部４５には有線ＬＡＮ４００のネットワークケーブル（不図示）が電気的に接続される。センサボックス１６が映像データやマイクロ波データに基づき検出した被検者の状態に係る情報はインタフェース部４５及び有線ＬＡＮ４００を介して管理サーバ２に送信される。なお、管理サーバ２はセンサボックス１６から受信した被検者の状態に係る情報を自身が有する表示部（不図示）に表示したり、介護者が所有する携帯端末等（不図示）に送信したりする。
【００２８】
そして、見守りシステム１は管理サーバ２の設定部４がセンサボックス１１〜２４に関して、互いに電波干渉、電波混信が発生しないように、隣り合う電波検出部４２の間の距離、電波検出部４２からの電波の放射方向、隣り合うベッドの間の距離等の諸条件に基づき、センサボックス１１〜２４各々の電波検出部４２が使用するマイクロ波の周波数を導出する。さらに、設定部４は有線ＬＡＮ４００を介してそれら周波数をセンサボックス１１〜２４の電波検出部４２に配信し、電波検出部４２において個別に設定させる。
【００２９】
続いて、設定部４によるセンサボックス１１〜２４各々の電波検出部４２の設定方法について、図３〜図５を用いて説明する。図３はセンサボックス１６、１７による被検者Ｓの生体情報の検出状況を示す説明図であって、居室を側方から見た図である。図４はセンサボックス１１〜１５の設定方法を示す説明図である。図５はセンサボックス１１〜２４に対する設定処理の一例を示すフローチャートである。なお、図３では居室１０６、１０７を例として掲げ、図４では居室１０１〜１０５を例として掲げて説明するが、他の居室においても同様に電波検出部４２の設定が実行される。
【００３０】
例えば図３に示すように、居室１０６にはベッド２０６及びセンサボックス１６が設置され、隣接する居室１０７にはベッド２０７及びセンサボックス１７が設置される。センサボックス１６、１７は各々居室１０６、１０７の天井の水平方向の中央部に設置される。検出感度を高めるために、センサボックス１６、１７各々の電波検出部４２は図３に記した矢印が指すベッド２０６、２０７の方向を向くようにセンサボックス１６、１７各々に設けられる。
【００３１】
そして、設定部４は電波検出部４２、すなわちセンサボックス１６、１７の配置（居室のどの位置に配置されているか）、センサボックス１６、１７によるマイクロ波の放射方向及びセンサボックス１６、１７の間の距離に基づき、電波干渉、電波混信が発生しないようにセンサボックス１６、１７各々の電波検出部４２が使用するマイクロ波の周波数を導出する。電波干渉、電波混信が発生しないようにするには、例えば隣り合うセンサボックス１６、１７の最小離隔距離と、隣り合うセンサボックス１６、１７が使用するマイクロ波の最小離隔周波数と、を考慮する。
【００３２】
ここで、最小離隔距離とは、隣り合うセンサボックス同士にこれだけの距離が空いていると（互いの使用周波数にかかわらず）電波干渉や電波混信が発生しないという距離である。また、最小離隔周波数とは、隣り合うセンサボックスが使用するマイクロ波の周波数にこれだけの差があると（センサボックス間の距離にかかわらず）電波干渉や電波混信が発生しないという周波数である。
【００３３】
センサボックス１６、１７の最小離隔距離は電波検出部４２の性能等から鑑みて、例えば５ｍに予め設定される。センサボックス１６、１７の間の距離Ｌ１が５ｍ以上である場合、設定部４はセンサボックス１６、１７各々の電波検出部４２が使用するマイクロ波の周波数を同じにする場合がある。一方、センサボックス１６、１７の間の距離Ｌ１が５ｍ未満である場合、設定部４はセンサボックス１６、１７各々の電波検出部４２が使用するマイクロ波の周波数を異ならせる。これにより、センサボックス１６、１７の間では電波干渉、電波混信が発生しない。
【００３４】
なお、センサボックス１６、１７の最小離隔距離については、センサボックス１６、１７によるマイクロ波の放射方向に関連して、隣り合う居室のベッド２０６、２０７の間の距離Ｌ２も考慮される。ベッドの間の距離が長ければ、それぞれのセンサボックスから被検者に到達するマイクロ波及び被検者から反射してくるマイクロ波が互いに干渉または混信する虞が低くなる。したがって、例えばベッド２０６、２０７の間の距離Ｌ２が５ｍ以上である場合、設定部４はセンサボックス１６、１７各々の電波検出部４２が使用するマイクロ波の周波数を同じにする場合がある。一方、ベッド２０６、２０７の間の距離Ｌ２が５ｍ未満である場合、設定部４はセンサボックス１６、１７各々の電波検出部４２が使用するマイクロ波の周波数を異ならせる。これにより、センサボックス１６、１７の間では電波干渉、電波混信が発生しない。
【００３５】
センサボックス１６、１７が使用するマイクロ波の最小離隔周波数は電波検出部４２の性能等から鑑みて、例えば５ＭＨｚに予め設定される。センサボックス１６、１７の間の距離Ｌ１やベッド２０６、２０７の間の距離Ｌ２にかかわらず、設定部４はセンサボックス１６、１７各々の電波検出部４２が使用するマイクロ波の周波数を５ＭＨｚ以上離隔した周波数に設定することがある。これにより、センサボックス１６、１７の間では電波干渉、電波混信が発生しない。
【００３６】
図４に示す居室１０１〜１０５の場合、合計８台のベッドが設けられている。これに対して、設定部４は設定Ａから設定Ｈまでの５ＭＨｚずつ離隔した８種の周波数を導出し、それら周波数をセンサボックス１１ｗ、１２ｐ、１２ｗ、１３ｗ、１４ｐ、１４ｗ、１５ｐ及び１５ｗに個別に設定する。
【００３７】
このように、各居室のセンサボックスの電波検出部４２が使用するマイクロ波の周波数に関して、隣り合うセンサボックスの電波検出部４２各々が使用するマイクロ波の周波数を互いに最小離隔周波数以上離隔した周波数に設定すると、電波干渉、電波混信が発生せず、各居室のベッドで休む被検者Ｓに対してマイクロ波を放射及び受信し、被検者Ｓの生体情報を個別に検出することが可能になる。
【００３８】
なお、使用できる周波数チャネルの数に限りがあるので、センサボックスの数量が多いと、すべてのセンサボックスの電波検出部４２が使用するマイクロ波の周波数を異ならせることができない場合がある。この場合であっても、例えばベッドの間の距離を５ｍ以上離隔させれば、マイクロ波を同じ周波数にすることができる。
【００３９】
続いて、センサボックス１１〜２４に対する設定処理の一例について、図５に示すフローに沿って説明する。
【００４０】
例えば、図１に示す介護施設に見守りシステム１を導入する際に各居室のセンサボックスに対する初期設定が開始される（図５のスタート）。ステップ＃１０１では管理サーバ２に対するユーザの操作によって各センサボックスの配置状況が入力される。各センサボックスの配置状況としてはセンサボックスの数量、隣り合うセンサボックスの間の距離、隣り合うベッドの間の距離などに係る情報が入力される。隣り合うベッドの間の距離は、隣り合うセンサボックス各々のマイクロ波の放射方向に関連する。
【００４１】
ステップ＃１０２では入力された各センサボックスの配置状況に係る情報に基づいて管理サーバ２の設定部４が各センサボックスの電波検出部４２が使用するマイクロ波の周波数を導出する。設定部４は各センサボックスの数量、センサボックスによるマイクロ波の放射方向及び隣り合うセンサボックスの間の距離などに基づいて電波干渉、電波混信が発生しないようセンサボックス各々が使用するマイクロ波の周波数を導出する。導出された周波数は各センサボックスの電波検出部４２に対応して個別に電波検出部設定リスト５に保存される。
【００４２】
ステップ＃１０３では導出された周波数の設定値が管理サーバ２から有線ＬＡＮ４００を介して各センサボックスに向けて個別に配信される。
【００４３】
ステップ＃１０４では配信された周波数の設定値を受信した各センサボックスにおいて、その周波数が電波検出部４２に個別に設定される。なお、各センサボックスの電波検出部４２が使用するマイクロ波の周波数を管理サーバ２から配信して各センサボックスにおいて設定する際、管理サーバ２から各センサボックスに対して個別にコマンド通信が行われる。各センサボックスでは制御部４３が管理サーバ２から受信したコマンドを解釈して電波検出部４２に対して使用周波数を設定する。
【００４４】
ステップ＃１０５では各センサボックスの電波検出部４２における周波数設定において、電波干渉及び電波混信が発生しない条件（以下、所定条件と称する）を満足しているか否かが再確認される。例えば、第一の所定条件として、まず、隣り合うセンサボックスの電波検出部４２が使用する互いのマイクロ波の周波数が５ＭＨｚ以上離隔しているか否かが確認される。隣り合うセンサボックスの電波検出部４２が使用する互いのマイクロ波の周波数の離隔が５ＭＨｚ未満であった場合、第二の所定条件として、隣り合うセンサボックスまたはベッドの間の距離が５ｍ以上離隔しているか否かが確認される。
【００４５】
ステップ＃１０５において所定条件を満足しない場合はステップ＃１０２に移行し、所定条件を満足する場合は初期設定を終了する（図５のエンド）。
【００４６】
＜第２実施形態＞
次に、本発明の第２実施形態に係る見守りシステムについて、図６を用いて説明する。図６は見守りシステムによるセンサボックスの設定方法を示す説明図である。なお、この実施形態の基本的な構成は先に説明した第１実施形態と同じであるので、第１実施形態と共通する構成要素には前と同じ符号を付してその説明を省略するものとする。
【００４７】
図６は、例えば図１に示す見守りシステム１の初期導入の後、居室１０３にベッド２０３ｐを増設した状態を示す。この場合、ベッド２０３ｐを使用する被検者に対応するセンサボックス１３ｐも増設される。センサボックス１３ｐの増設に伴って、例えばセンサボックス１３ｗ、１４ｐによるマイクロ波の放射方向の変更を行う場合がある。さらに、センサボックス１３ｐの増設で、隣り合うセンサボックスの間の距離に変更が生じる場合もある。
【００４８】
このような状況において第２実施形態の見守りシステム１は、各電波検出部４２が使用する周波数の従前の設定に対して、センサボックス（電波検出部４２）の増設、センサボックスによるマイクロ波の放射方向の変更及び隣り合うセンサボックスの間の距離の変更に基づき、電波干渉、電波混信が発生しないよう、各センサボックスが使用するマイクロ波の周波数の再導出を実行する。
【００４９】
センサボックス１１〜２４が使用するマイクロ波の周波数の再導出、再設定には図５と同様の処理フローが用いられる。図５のステップ＃１０１において、ユーザはセンサボックスの数量の増加、センサボックスからのマイクロ波の放射方向、隣り合うセンサボックスの間の距離の変更、隣り合うベッドの間の距離の変更などに係る情報を管理サーバ２に入力する。
【００５０】
ステップ＃１０２では変更された各センサボックスの配置状況に係る情報に基づいて設定部４が各センサボックスの電波検出部４２が使用するマイクロ波の周波数を再導出する。ステップ＃１０３では再導出された周波数の設定値が管理サーバ２から有線ＬＡＮ４００を介して各センサボックスに向けて個別に配信される。ステップ＃１０４では配信された周波数の設定値を受信した各センサボックスにおいてその周波数が電波検出部４２に個別に再設定される。
【００５１】
なお、見守りシステム１は各センサボックスの電波検出部４２が使用するマイクロ波の周波数を再導出する際、増設されたセンサボックス１３ｐのみに新たな使用周波数を設定するだけで、電波干渉、電波混信の発生を防止することもできる。この場合、図６に矢印で示したようにセンサボックス１３ｐのみに対して使用周波数の設定に係るコマンド通信が行われる。
【００５２】
＜第３実施形態＞
次に、本発明の第３実施形態に係る見守りシステムについて、図７及び図８を用いて説明する。図７は見守りシステムによるセンサボックスの設定方法を示す説明図である。図８はセンサボックスによる被検者の生体情報の検出状況を示す説明図である。なお、この実施形態の基本的な構成は先に説明した第１実施形態と同じであるので、第１実施形態と共通する構成要素には前と同じ符号を付してその説明を省略するものとする。
【００５３】
図７は、例えば図１に示す見守りシステム１の初期導入の後、居室１０８のベッド２０８の位置を変更した状態を示す。ベッド２０８の位置変更に伴って、例えばセンサボックス１８、１９によるマイクロ波の放射方向の変更を行う場合がある。さらに、ベッド２０８の位置変更で、隣り合うベッド２０８、２０９の間の距離に変更が生じる。
【００５４】
居室１０８、１０９に関して、図８に示すようにベッド２０８の位置を変更した場合、例えばセンサボックス１８が放射したマイクロ波が居室１０８、１０９の間の壁を透過して居室１０９の被検者Ｓまで届き、その反射波をセンサボックス１９が受信するという電波干渉が発生する虞がある。また、この逆の電波干渉が発生する虞もある。
【００５５】
このような状況において第３実施形態の見守りシステム１は、各電波検出部４２が使用する周波数の従前の設定に対して、センサボックスの間の距離の変更、センサボックスによるマイクロ波の放射方向の変更及び隣り合うベッドの間の距離の変更に基づき、電波干渉、電波混信が発生しないよう、各センサボックスが使用するマイクロ波の周波数の再導出を実行する。この場合、見守りシステム１はすべてのセンサボックス１１〜２４に対して使用周波数を再設定することができるし、或いはセンサボックス１８を含む局所的な領域のセンサボックスに対して使用周波数を再設定することもできる。また、見守りシステム１はセンサボックス１８、１９のみに使用周波数を再設定することもできる。この場合、図７に矢印で示したようにセンサボックス１８、１９のみに対して使用周波数の設定に係るコマンド通信が行われる。
【００５６】
ここで、設定部４は各センサボックスが使用するマイクロ波の周波数の導出において、ベッドの位置情報を利用することもできる。設定部４は、例えば図５のステップ＃１０１においてユーザから各ベッドの位置情報の入力を受け付けて所有する。そして、設定部４は各ベッドの位置情報から得られるベッドの間の距離に基づいて電波干渉、電波混信が発生しないよう、各センサボックスが使用するマイクロ波の周波数を導出する。
【００５７】
ベッドの位置情報は光学検出部４１が撮像した映像から被検者の体動を検出する際にも有益な情報である。
【００５８】
なお、ベッドの位置情報に基づくマイクロ波の周波数の導出は、他の実施形態にも適用することが可能である。
【００５９】
＜第４実施形態＞
次に、本発明の第４実施形態に係る見守りシステムについて、図９を用いて説明する。図９は見守りシステムによるセンサボックスの設定方法を示す説明図である。なお、この実施形態の基本的な構成は先に説明した第１実施形態と同じであるので、第１実施形態と共通する構成要素には前と同じ符号を付してその説明を省略するものとする。
【００６０】
第４実施形態の見守りシステム１は、例えば図９に示す介護施設に設置される。介護施設は例えば居室３０１〜３０６を備える。居室３０１〜３０６は管理サーバ２が設置されたスタッフステーション（不図示）を中心として環状に配置される。居室３０１〜３０６には各々、例えばセンサボックス３１〜３６が８台のベッド（不図示）に対応して８台ずつ設置される。
【００６１】
本実施形態の見守りシステム１が有するセンサボックスの総数は使用可能なマイクロ波の周波数チャネルの数よりも多い。このため、使用可能なマイクロ波の周波数チャネルを複数のグループに振り分け、隣接する居室には異なる周波数チャネルのグループを割り当てるようにする。
【００６２】
例えば、図９に示すように使用可能なマイクロ波の周波数チャネルをグループＸ、Ｙ、Ｚの３つに振り分ける。このとき、各グループには近接する周波数チャネルが属さないように振り分ける。すなわち、例えばマイクロ波の周波数がｆ００、ｆ０１、ｆ０２・・・・の順に離隔する場合、ｆ００とｆ０１とが同じグループに属さないようにして、ｆ０１とｆ０２とが同じグループに属さないようにする。そして、マイクロ波の周波数チャネルのグループＸを居室３０１、３０４に割り当て、グループＹを居室３０２、３０５に割り当て、グループＺを居室３０３、３０６に割り当てる。
【００６３】
このように、周波数チャネルの各グループに対して異なる複数の周波数チャネルを割り当てる、例えば周波数チャネルの各グループに対して近接する周波数チャネルが属さないように振り分けることにより、各居室内における電波干渉を抑制することができる。さらに、隣り合う居室に配置された複数のセンサボックスに対して居室毎に異なる周波数チャネルのグループを割り当てることにより、隣り合う居室間においても電波干渉を抑制することが可能である。
【００６４】
なお、マイクロ波の周波数チャネルの各グループには、後日センサボックスを増設することを想定した空き周波数チャネル（例えばｆ０６、ｆ０７、ｆ０８）を確保しておくことが好ましい。
【００６５】
上記第１〜第４の実施形態のように、見守りシステム１はマイクロ波を放射及び受信して被検者の生体情報を個別に検出する複数の電波検出部４２（センサボックス）と、複数の電波検出部４２の動作条件を個別に設定する設定部４と、を備える。そして、設定部４は複数の電波検出部４２（センサボックス）の配置、電波検出部４２によるマイクロ波の放射方向及び隣り合う電波検出部４２（センサボックス）の間の距離に基づいて電波干渉、電波混信が発生しない所定条件を満足する複数の電波検出部４２各々が使用するマイクロ波の周波数を導出する。さらに、複数の電波検出部４２においてそれら周波数を個別に設定する。
【００６６】
この構成によると、介護施設で過ごす複数の被検者に対応する数量の複数の電波検出部４２各々に対して電波干渉、電波混信が発生しないマイクロ波の周波数が導出され、それら複数の電波検出部４２に個別に設定される。これにより、複数の被検者の生体情報を個別に正確に検出することが可能である。
【００６７】
また、第２及び第３の実施形態のように、設定部４は複数の電波検出部４２の動作条件の従前の設定に対して、電波検出部４２（センサボックス）の増設または移動、電波検出部４２によるマイクロ波の放射方向の変更及び隣り合う電波検出部４２（センサボックス）の間の距離の変更に基づいて所定条件を満足する複数の電波検出部４２各々が使用するマイクロ波の周波数の再導出を実行する。
【００６８】
この構成によると、電波検出部４２（センサボックス）の増設または移動に対応して電波干渉、電波混信が発生しないマイクロ波の周波数が導出され、それら複数の電波検出部４２に個別に設定される。したがって、センサボックスを増設、移動した場合であっても、複数の被検者の生体情報を個別に正確に検出することが可能である。
【００６９】
また、第３実施形態のように、設定部４は被検者が使用するベッドの位置情報を有するとともに、そのベッドの位置情報に基づいて所定条件を満足する複数の電波検出部４２各々が使用するマイクロ波の周波数を導出する。
【００７０】
この構成によると、ベッドの位置情報に基づき、電波検出部４２によるマイクロ波の放射方向や隣り合うベッドの間の距離を正確に把握することができる。したがって、電波干渉、電波混信が発生しないマイクロ波の周波数を導出する際、好適な周波数を導出することが可能になる。
【００７１】
そして、電波干渉、電波混信が発生しない所定条件として隣り合う電波検出部４２（センサボックス）の最小離隔距離が考慮され、設定部４は隣り合う電波検出部４２（センサボックス）の間の距離が予め定めた最小離隔距離（例えば５ｍ）より短い場合に隣り合う電波検出部４２各々が使用するマイクロ波の周波数を異ならせる。
【００７２】
この構成によると、隣り合う電波検出部４２（センサボックス）の間の距離が比較的短い場合に、電波干渉、電波混信が発生しないようにすることが可能になる。
【００７３】
また、電波干渉、電波混信が発生しない所定条件として隣り合う電波検出部４２（センサボックス）が使用するマイクロ波の最小離隔周波数が考慮され、設定部４は隣り合う電波検出部４２（センサボックス）各々が使用するマイクロ波の周波数を互いに予め定めた最小離隔周波数（例えば５ＭＨｚ）以上離隔した周波数に設定する。
【００７４】
この構成によると、隣り合う電波検出部４２（センサボックス）の間の距離や隣り合うベッドの間の距離にかかわらず、電波干渉、電波混信が発生しないようにすることが可能になる。
【００７５】
以上、本発明の実施形態につき説明したが、本発明の範囲はこれに限定されるものではなく、発明の主旨を逸脱しない範囲で種々の変更を加えて実施することができる。
【００７６】
例えば、上記実施形態で示したセンサボックスの電波検出部４２が使用するマイクロ波の周波数（例えば図４参照）やマイクロ波の周波数チャネルのグループ分けの仕方（例えば図９参照）は一例であって、これらに限定されるわけではない。
【産業上の利用可能性】
【００７７】
本発明は、介護施設等で過ごす人の健康状態の異常等を検出するための見守りシステムにおいて利用可能である。
【符号の説明】
【００７８】
１    見守りシステム
２    管理サーバ
３    主制御部
４    設定部
５    電波検出部設定リスト
１１〜２４、３１〜３６    センサボックス
４１    光学検出部
４２    電波検出部
４３    制御部
【要約】
見守りシステム１はマイクロ波を放射及び受信して被検者の生体情報を個別に検出する複数の電波検出部４２と、複数の電波検出部４２の動作条件を個別に設定する設定部４と、を備える。設定部４は複数の電波検出部４２の配置、電波検出部４２によるマイクロ波の放射方向及び隣り合う電波検出部４２の間の距離に基づいて電波干渉、電波混信が発生しない所定条件を満足する複数の電波検出部４２各々が使用するマイクロ波の周波数を導出する。複数の電波検出部４２においてそれら周波数を個別に設定する。【図１】
0006020779.tif 000002
【図２】
0006020779.tif 000003
【図３】
0006020779.tif 000004
【図４】
0006020779.tif 000005
【図５】
0006020779.tif 000006
【図６】
0006020779.tif 000007
【図７】
0006020779.tif 000008
【図８】
0006020779.tif 000009
【図９】
0006020779.tif 000010